(57)【要約】移動通信システムにおけるスケジューリング上りリンクデータ送信のための方法及び装置を提供する。このような方法及び装置は、Ｅ−ＤＣＨ又はＤＣＨを使用する移動通信システムにおける無線通信リソースを効率的に割り当てる基地局スケジューラーと、Ｅ−ＤＣＨの送信率及び従来のＤＣＨの送信率を効率的に選択するために、Ｅ−ＤＣＨ及び従来のＤＣＨのすべてを使用する端末（ＵＥ）とを含む。このような方法及び装置は、ＤＣＨが存在するかどうかに関係なしに、再送信の時点でのＵＥの総送信電力を初期送信の時点でのＵＥの総送信電力と同一に維持することによって、ＵＥが上りリンクで発生する干渉量の変化を最小化することができる。
2008501285.tif 000002
【特許請求の範囲】
【請求項１】
上りリンクパケットデータサービスを支援する移動通信システムにおいて、第１のチャンネル及び第２のチャンネルを介して上りリンクデータの送信をスケジューリングする方法であって、
前記第１のチャンネルに対する平均送信率を決定するステップと、
前記全体無線リソースと前記決定された第１のチャンネルの平均送信率に該当する無線リソースとの差を考慮して、前記第２のチャンネルの最大送信率を決定するステップと、
前記決定された最大送信率を示すスケジューリング割当て情報を端末（ＵＥ）へ送信するステップとを具備し、
前記第２のチャンネルは、スケジューリングされず、前記第１のチャンネルは、スケジューリングされることを特徴とする方法。
【請求項２】
前記第２のチャンネルの最大送信率を決定するステップは、
前記無線リソース間の差を前記第２のチャンネルに割当て可能な無線リソースとして設定するステップと、
前記第２のチャンネルに割当て可能な無線リソースがセル内で前記第２のチャンネルに割当て可能な最大無線リソースを超過しないようにする前記端末のための前記第２のチャンネルの最大送信率を決定するステップと、を具備することを特徴とする請求項１記載の方法。
【請求項３】
前記全体無線リソースは、基地局制御器（ＲＮＣ）によって指示されることを特徴とする請求項１記載の方法。
【請求項４】
前記第１のチャンネルの平均送信率は、
前記第１のチャンネルに割り当てられた各端末に対する最大送信率を該当スケジューリング最適化係数と乗算することによって計算されることを特徴とする請求項１記載の方法。
【請求項５】
前記第１のチャンネルの最大送信率及び前記スケジューリング最適化係数は、
基地局制御器によって提供されることを特徴とする請求項４記載の方法。
【請求項６】
前記スケジューリング最適化係数は、
前記第１のチャンネルの最大送信率に対する前記第１のチャンネルの平均送信率の割合に該当することを特徴とする請求項５記載の方法。
【請求項７】
前記無線リソースは、
前記上りリンクの送信率又は送信電力に該当するＲｏＴで表現されることを特徴とする請求項１記載の方法。
【請求項８】
前記スケジューリング割当て情報は、
前記第１のチャンネルの送信率及び前記第２のチャンネルの最大送信率を構成する前記端末の最大送信可能な送信率を具備することを特徴とする請求項１記載の方法。
【請求項９】
前記スケジューリング割当て情報は、
前記第２のチャンネルの最大送信率及び前記端末のスケジューリング最適化係数を具備することを特徴とする請求項１記載の方法。
【請求項１０】
前記スケジューリング割当て情報は、
前記第１のチャンネルの平均送信率及び前記第２のチャンネルの最大送信率を具備することを特徴とする請求項１記載の方法。
【請求項１１】
前記スケジューリング割当て情報は、
前記第１のチャンネルの最大送信率及び前記第２のチャンネルの最大送信率の和を具備することを特徴とする請求項１記載の方法。
【請求項１２】
前記スケジューリング割当て情報は、
前記第２のチャンネルの最大送信率を具備することを特徴とする請求項１記載の方法。
【請求項１３】
上りリンクパケットデータサービスを支援する移動通信システムにおいて、第１のチャンネル及び第２のチャンネルを介して上りリンクデータの送信をスケジューリングする装置であって、
前記第１のチャンネルに使用されるものと予測される平均送信率を決定し、前記全体無線リソースと前記決定された第１のチャンネルの平均送信率に該当する無線リソースとの差を考慮して、前記第２のチャンネルの最大送信率を決定し、前記決定された最大送信率を示すスケジューリング信号を生成するスケジューリング信号生成器と、
前記生成されたスケジューリング信号を端末へ送信するスケジューリング信号送信器と、
前記スケジューリング信号が予め定められたスケジューリング周期で送信されることができるように、前記スケジューリング信号生成器及び前記スケジューリング信号送信器を制御するスケジューリング信号送信器とを含んで構成され、
前記第２のチャンネルは、スケジューリングされず、前記第１のチャンネルは、スケジューリングされることを特徴とする装置。
【請求項１４】
前記第２のチャンネルの最大送信率を決定するにあたって、
前記無線リソース間の差を前記第２のチャンネルに割当て可能な無線リソースとして設定し、
前記第２のチャンネルに割当て可能な無線リソースがセル内で前記第２のチャンネルに割当て可能な最大無線リソースを超過しないようにする、前記端末のための前記第２のチャンネルの最大送信率を決定することを特徴とする請求項１３記載の装置。
【請求項１５】
前記全体無線リソースは、
基地局制御器（ＲＮＣ）によって提供されて制御されることを特徴とする請求項１３記載の装置。
【請求項１６】
前記第１のチャンネルの平均送信率は、
前記第１のチャンネルに割り当てられた各端末に対する最大送信率を該当スケジューリング最適化係数と乗算することによって計算されることを特徴とする請求項１３記載の装置。
【請求項１７】
前記第１のチャンネルの最大送信率及び前記スケジューリング最適化係数は、
基地局制御器によって提供されることを特徴とする請求項１６記載の装置。
【請求項１８】
前記スケジューリング最適化係数は、
前記第１のチャンネルの最大送信率に対する前記第１のチャンネルの平均送信率の割合に該当することを特徴とする請求項１７記載の装置。
【請求項１９】
前記無線リソースは、
前記上りリンクの送信率又は送信電力に該当するＲｏＴで表現されることを特徴とする請求項１３記載の装置。
【請求項２０】
前記スケジューリング割当て情報は、
前記第１のチャンネルの送信率及び前記第２のチャンネルの最大送信率を構成する前記端末の最大送信可能な送信率を具備することを特徴とする請求項１３記載の装置。
【請求項２１】
前記スケジューリング割当て情報は、
前記第２のチャンネルの最大送信率及び前記端末のスケジューリング最適化係数を具備することを特徴とする請求項１３記載の装置。
【請求項２２】
前記スケジューリング割当て情報は、
前記第１のチャンネルの平均送信率及び前記第２のチャンネルの最大送信率を具備することを特徴とする請求項１３記載の装置。
【請求項２３】
前記スケジューリング割当て情報は、
前記第１のチャンネルの最大送信率及び前記第２のチャンネルの最大送信率の和を具備することを特徴とする請求項１３記載の装置。
【請求項２４】
前記スケジューリング割当て情報は、
前記第２のチャンネルの最大送信率を具備することを特徴とする請求項１３記載の装置。
【請求項２５】
上りリンクパケットデータサービスを支援する移動通信システムにおいて、上りリンクデータを送信する方法であって、
第１のチャンネル及び第２のチャンネルに対する最大送信率を示すスケジューリング割当て情報を受信するステップと、
前記最大送信率に基づいて前記第１のチャンネルに対する送信率を決定するステップと、
前記最大送信率と前記第１のチャンネルの送信率との差に基づいて、前記第２のチャンネルに対する送信率を決定するステップと、
前記決定された送信率を使用して、前記第１のチャンネル及び前記第２のチャンネルの上りリンクデータを送信するステップとを具備し、
前記第２のチャンネルは、スケジューリングされず、前記第１のチャンネルは、スケジューリングされることを特徴とする方法。
【請求項２６】
前記第１のチャンネル及び前記第２のチャンネルの送信率に該当する送信電力が前記端末の送信電力制限値を超過しないように、前記第２のチャンネルの送信率に該当する送信電力を減少させるステップをさらに具備することを特徴とする請求項２５記載の方法。
【請求項２７】
前記第２のチャンネルの送信率を決定するステップは、
前記全体送信電力が前記送信電力制限値より小さいと、前記全体送信電力が前記第１のチャンネルの送信率に該当する第１の送信電力より大きいか否かを確認するステップと、
前記全体送信電力が前記第１の送信電力より大きいと、前記全体送信電力と前記第１の送信電力との差に該当する送信率を前記第２のチャンネルの最大送信率として決定するステップと、
前記最大送信率内で、前記第２のチャンネルの送信率を決定するステップとを具備することを特徴とする請求項２５記載の方法。
【請求項２８】
前記全体送信電力が前記第１の送信電力より大きくないと、前記第２のチャンネルを介した送信を中断するステップをさらに具備することを特徴とする請求項２７記載の方法。
【請求項２９】
前記第２のチャンネルの送信率を決定するステップは、
前記全体送信電力が前記送信電力制限値より小さくないと、前記全体送信電力が前記第１のチャンネルの送信率に該当する第１の送信電力より大きいか否かを確認するステップと、
前記全体送信電力が前記第１の送信電力より大きいと、前記全体送信電力と前記第１の送信電力との差に該当する送信率を前記第２のチャンネルの最大送信率として決定するステップと、
前記最大送信率内で、前記第２のチャンネルの送信率を決定するステップとを具備することを特徴とする請求項２５記載の方法。
【請求項３０】
前記全体送信電力が前記第１の送信電力より大きくないと、前記第２のチャンネルを介した送信を中断するステップをさらに具備することを特徴とする請求項２９記載の方法。
【請求項３１】
前記スケジューリング割当て情報は、
前記第１のチャンネル及び第２のチャンネルに対する最大送信率の代わりに、前記全体無線リソースと前記第１のチャンネルの平均送信率に該当する無線リソースとの差に基づいて決定された前記第２のチャンネルの最大送信率を示すことを特徴とする請求項２５記載の方法。
【請求項３２】
前記全体送信率を決定するステップは、
前記スケジューリング割当て情報から前記全体送信率を直接的に獲得することを特徴とする請求項２５記載の方法。
【請求項３３】
前記全体送信率を決定するステップは、
前記スケジューリング割当て情報から前記第２のチャンネルの最大送信率及び前記端末のスケジューリング最適化係数を獲得した後に、前記スケジューリング最適化係数を前記第１のチャンネルの最大送信率と乗算した積に前記第２のチャンネルの最大送信率を加算することによって、前記全体送信率を計算し、ここで、前記第１のチャンネルの最大送信率は、前記基地局制御器から受信されることを特徴とする請求項２５記載の方法。
【請求項３４】
前記スケジューリング最適化係数は、
前記第１のチャンネルの最大送信率に対する前記第１のチャンネルの平均送信率の割合に該当することを特徴とする請求項３３記載の方法。
【請求項３５】
前記全体送信率を決定するステップは、
前記スケジューリング割当て情報から前記第１のチャンネルの平均送信率及び前記第２のチャンネルの最大送信率を獲得した後に、前記第１のチャンネルの平均送信率と前記第２のチャンネルの最大送信率とを加算することによって、前記全体送信率を計算することを特徴とする請求項２５記載の方法。
【請求項３６】
前記全体送信率を決定するステップは、
前記スケジューリング割当て情報から前記第１のチャンネルの最大送信率と前記第２のチャンネルの最大送信率との和を獲得した後に、前記第１のチャンネルの最大送信率と前記第２のチャンネルの最大送信率との和を前記全体送信率として設定することを特徴とする請求項２５記載の方法。
【請求項３７】
前記全体送信率を決定するステップは、
前記スケジューリング割当て情報から前記第２のチャンネルの最大送信率を獲得し、前記基地局制御器から受信された送信フォーマット組合せセット（ＴＦＣＳ）に基づく前記第１のチャンネルの最大送信率に前記第２のチャンネルの最大送信率を加算することによって、前記全体送信率を計算することを特徴とする請求項２５記載の方法。
【請求項３８】
上りリンクパケットデータサービスを支援する移動通信システムにおいて、上りリンクデータを送信する装置であって、
第１のチャンネル及び第２のチャンネルに対する最大送信率を示すスケジューリング割当て情報を受信するスケジューリング割当て情報受信器と、
前記最大送信率に基づいて前記第１のチャンネルに対する送信率を決定し、前記最大送信率と前記第１のチャンネルに使用可能な送信率との差に基づいて、前記第２のチャンネルの送信率を決定する制御器と、
前記決定された送信率を使用して、前記第１のチャンネル及び前記第２のチャンネルの上りリンクデータを送信する送信器とを具備し、
前記第２のチャンネルは、スケジューリングされず、前記第１のチャンネルは、スケジューリングされることを特徴とする装置。
【請求項３９】
前記第１のチャンネル及び前記第２のチャンネルの送信率に該当する送信電力が前記端末の送信電力制限値を超過しないように、前記第２のチャンネルの送信率に該当する送信電力を減少させる送信電力制御器をさらに具備することを特徴とする請求項３８記載の装置。
【請求項４０】
前記第２のチャンネルの送信率を決定する制御器は、
前記全体送信電力が前記送信電力制限値より小さいと、前記全体送信電力が前記第１のチャンネルの送信率に該当する第１の送信電力より大きいか否かを確認し、
前記全体送信電力が前記第１の送信電力より大きいと、前記全体送信電力と前記第１の送信電力との差に該当する送信率を前記第２のチャンネルの最大送信率として決定し、
前記最大送信率内で、前記第２のチャンネルの送信率を決定することを特徴とする請求項３８記載の装置。
【請求項４１】
前記第２のチャンネルの送信率を決定する制御器は、
前記全体送信電力が前記第１の送信電力より大きくないと、前記第２のチャンネルを介した送信を中断することを特徴とする請求項４０記載の装置。
【請求項４２】
前記第２のチャンネルの送信率を決定する制御器は、
前記全体送信電力が前記送信電力制限値より小さくないと、前記全体送信電力が前記第１のチャンネルの送信率に該当する第１の送信電力より大きいか否かを確認し、
前記全体送信電力が前記第１の送信電力より大きいと、前記全体送信電力と前記第１の送信電力との差に該当する送信率を前記第２のチャンネルの最大送信率として決定し、
前記最大送信率内で、前記第２のチャンネルの送信率を決定することを特徴とする請求項３８記載の装置。
【請求項４３】
前記第２のチャンネルの送信率を決定する制御器は、
前記全体送信電力が前記第１の送信電力より大きくないと、前記第２のチャンネルを介した送信を中断することを特徴とする請求項４２記載の装置。
【請求項４４】
前記スケジューリング割当て情報は、
前記第１のチャンネル及び第２のチャンネルに対する最大送信率の代わりに、前記全体無線リソースと前記第１のチャンネルの平均送信率に該当する無線リソースとの差に基づいて決定された前記第２のチャンネルの最大送信率を示すことを特徴とする請求項３８記載の装置。
【請求項４５】
前記スケジューリング割当て情報受信器は、
前記スケジューリング割当て情報から前記全体送信率を直接的に獲得することを特徴とする請求項３８記載の装置。
【請求項４６】
前記スケジューリング割当て情報受信器は、
前記スケジューリング割当て情報から前記第２のチャンネルの最大送信率及び前記端末のスケジューリング最適化係数を獲得した後に、前記スケジューリング最適化係数を前記第１のチャンネルの最大送信率と乗算した積に前記第２のチャンネルの最大送信率を加算することによって、前記全体送信率を計算し、ここで、前記第１のチャンネルの最大送信率は、前記基地局制御器から受信されることを特徴とする請求項３８記載の装置。
【請求項４７】
前記スケジューリング最適化係数は、
前記第１のチャンネルの最大送信率に対する前記第１のチャンネルの平均送信率の割合に該当することを特徴とする請求項４６記載の装置。
【請求項４８】
前記スケジューリング割当て情報受信器は、
前記スケジューリング割当て情報から前記第１のチャンネルの平均送信率及び前記第２のチャンネルの最大送信率を獲得した後に、前記第１のチャンネルの平均送信率と前記第２のチャンネルの最大送信率とを加算することによって、前記全体送信率を計算することを特徴とする請求項３８記載の装置。
【請求項４９】
前記スケジューリング割当て情報受信器は、
前記スケジューリング割当て情報から前記第１のチャンネルの最大送信率と前記第２のチャンネルの最大送信率との和を獲得した後に、前記第１のチャンネルの最大送信率と前記第２のチャンネルの最大送信率との和を前記全体送信率として設定することを特徴とする請求項３８記載の装置。
【請求項５０】
前記スケジューリング割当て情報受信器は、
前記スケジューリング割当て情報から前記第２のチャンネルの最大送信率を獲得し、前記基地局制御器から受信された送信フォーマット組合せセット（ＴＦＣＳ）に基づく前記第１のチャンネルの最大送信率に前記第２のチャンネルの最大送信率を加算することによって、前記全体送信率を計算することを特徴とする請求項３８記載の装置。
【発明の詳細な説明】
【技術分野】
【０００１】
本発明は、セルラー符号分割多元接続（Code Division Multiple Access；ＣＤＭＡ）通信システムに関し、特に、向上した上りリンク専用送信チャンネル（Enhanced Uplink Dedicated transport Channel）の効率的なデータ送信／スケジューリング方法及び装置に関する。
【背景技術】
【０００２】
ヨーロッパ移動通信システムである移動体通信用グローバルシステム（Global System for Mobile Communications；ＧＳＭ）及び一般パケットラジオサービス（General Packet Radio Services；ＧＰＲＳ）に基づき、広帯域（Wideband）符号分割多元接続（Code Division Multiple Access；以下、ＣＤＭＡと称する）を使用する第３世代移動通信システムであるユニバーサル移動体通信サービス（Universal Mobile Telecommunication Service；ＵＭＴＳ）システムは、移動電話又はコンピュータユーザが世界中のどこにいるかに関係なく、パケットに基づくテキスト、ディジタル化された音声又はビデオ、及びマルチメディアデータを２Ｍｂｐｓ以上の高速で送信することができる一貫したサービスを提供する。
【０００３】
特に、ＵＭＴＳシステムは、端末機（User Equipment；ＵＥ）から基地局（Base Station；ＢＳ又はＮｏｄｅ Ｂ）への上りリンク、すなわち、上りリンク（Uplink：ＵＬ）通信において、パケット送信の性能を向上させるために、向上した上りリンク専用チャンネル（Enhanced Uplink Dedicated Channel；以下、ＥＵＤＣＨ又はＥ−ＤＣＨと称する）を使用する。Ｅ−ＤＣＨは、さらに安定した高速のデータ送信を支援するために、適応変調符号化（Adaptive Modulation and Coding；ＡＭＣ）、複合自動再送信要求（Hybrid Automatic Retransmission Request；ＨＡＲＱ）、及び基地局制御スケジューリング（Node B controlled Scheduling）のような技術を支援する。
【０００４】
ＡＭＣは、Ｎｏｄｅ ＢとＵＥとの間のチャンネル状態に従ってデータチャンネルの変調方式及びコーディング方式を決定することによって、資源の使用効率を向上させる技術である。変調方式とコーディング方式との組合せは、ＭＣＳ（Modulation and Coding Scheme）と呼ばれ、支援可能な変調方式及びコーディング方式に従って多様なＭＣＳレベルが定義されることができる。ＡＭＣは、ＭＣＳのレベルをＵＥとＮｏｄｅ Ｂとの間のチャンネル状態に従って適応的に決定することによって、資源の使用効率を向上させる。
【０００５】
ＨＡＲＱは、最初に送信されたデータパケットにエラーが発生した場合に、上記エラーパケットを補償するために、パケットを再送信する方式を意味する。上記ＨＡＲＱ方式は、エラーが発生すると、最初に送信されたデータパケットと同一のフォーマットのパケットを再送信するチェイスコンバイニング方式（Chase Combining；以下、ＣＣと称する）と、エラーが発生すると、最初に送信されたデータパケットとは異なるフォーマットのパケットを再送信する増分冗長（Incremental Redundancy；以下、ＩＲと称する）方式とに区分することができる。
【０００６】
Ｎｏｄｅ Ｂ制御スケジューリングに従って、Ｎｏｄｅ Ｂは、Ｅ−ＤＣＨを介して上りリンクデータの送信に対するデータ送信率及び可能なデータ送信率の上限値を決定し、上記決定されたデータ送信率情報をＵＥへ送信すると、ＵＥは、上記データ送信率情報を参照して、上記Ｅ−ＤＣＨのデータ送信率を決定してデータを送信する。
【０００７】
図１は、従来の無線通信システムにおいて、Ｅ−ＤＣＨを介した上りリンクパケットの送信を示す図である。
【０００８】
図１において、参照符号１００は、Ｅ−ＤＣＨを支援する基地局（ＮｏｄｅＢ）を示し、参照符号１０１から１０４は、Ｅ−ＤＣＨを使用している端末機（ＵＥ）を示す。ＵＥ１０１乃至１０４の各々は、Ｅ−ＤＣＨ１１１から１１４を介して基地局１００へデータを送信する。
【０００９】
Ｎｏｄｅ Ｂ１００は、Ｅ−ＤＣＨを使用するＵＥ１０１乃至１０４のデータバッファ状態、要請データ送信率、又は、チャンネル状況情報を参照して、各ＵＥにＥ−ＤＣＨデータが送信されることができるか否かを通知するか、又は、Ｅ−ＤＣＨデータ送信率を調整するスケジューリング動作を遂行する。スケジューリング動作は、システム全体の性能を向上させるために、Ｎｏｄｅ Ｂ１００の測定雑音増加（Noise Rise or Rise over thermal；以下、ＲｏＴと称する）値が目標値を超えないようにしつつ、Ｎｏｄｅ Ｂ１００から遠く離れたＵＥ（例えば、１０３及び１０４）には、低いデータ送信率を割り当て、Ｎｏｄｅ Ｂ１００の近くに位置したＵＥ（例えば、１０１及び１０２）には、高いデータ送信率を割り当てる方式にて遂行されることができる。
【００１０】
図２は、従来のＥ−ＤＣＨを介した送受信手順を示すメッセージフロー図である。
【００１１】
図２を参照すると、ステップＳ２０２で、Ｎｏｄｅ Ｂ及びＵＥは、Ｅ−ＤＣＨを設定する。上記Ｅ−ＤＣＨ設定過程は、専用送信チャンネル（dedicated transport channel）を介してメッセージを送受信する過程を含む。Ｅ−ＤＣＨの設定が完了されると、ステップＳ２０４で、ＵＥは、Ｎｏｄｅ Ｂにスケジューリング情報を通知する。上記スケジューリング情報は、上りリンクチャンネル情報を示すＵＥ送信電力情報、ＵＥが送信することができる余分の電力情報、ＵＥのバッファに記憶されている送信されるべきデータ量を含むことができる。
【００１２】
ステップＳ２０６で、通信中である複数のＵＥからスケジューリング情報を受信したＮｏｄｅ Ｂは、各ＵＥのデータ送信をスケジューリングするために上記複数のＵＥのスケジューリング情報をモニタリングする。具体的には、ステップＳ２０８で、Ｎｏｄｅ Ｂは、ＵＥに上りリンクパケット送信を許容することを決定し、ＵＥにスケジューリング割当て（Scheduling Assignment）情報を送信する。上記スケジューリング割当て情報は、許容されたデータ送信率及び送信が許容されたタイミングなどを含む。
【００１３】
ステップＳ２１０で、ＵＥは、上記スケジューリング割当て情報を用いて上りリンクを介して送信されるＥ−ＤＣＨの送信形式（Transport format；ＴＦ）を決定し、ステップＳ２１２及びステップＳ２１４で、Ｅ−ＤＣＨを介して上りリンク（ＵＬ）パケットデータを上記ＴＦ情報とともにＮｏｄｅ Ｂへ送信する。ここで、上記ＴＦ情報は、Ｅ−ＤＣＨを復調するのに必要な情報を示す送信形式資源指示子（Transport Format Resource Indicator；以下、ＴＦＲＩと称する）を含む。このとき、ステップＳ２１４で、ＵＥは、Ｎｏｄｅ Ｂが割り当てたデータ送信率及びチャンネル状態を考慮してＭＣＳレベルを選択し、上記ＭＣＳレベルを使用して上記上りリンクパケットデータを送信する。
【００１４】
ステップＳ２１６で、Ｎｏｄｅ Ｂは、上記ＴＦ情報及び上記パケットデータにエラーがあるか否かを判断する。ステップＳ２１８で、Ｎｏｄｅ Ｂは、上記判断の結果、上記ＴＦ情報及び上記パケットデータのうちのいずれか１つでもエラーがある場合には、ＮＡＣＫ（Non-Acknowledge）情報をＵＥへ送信する。一方、上記ＴＦ情報及び上記パケットデータのすべてにエラーがない場合には、ＡＣＫ（Acknowledge）情報をＡＣＫ／ＮＡＣＫチャンネルを介してＵＥへ送信する。ＡＣＫ情報が送信される場合には、パケットデータの送信が完了されたため、ＵＥは、新たなユーザデータをＥ−ＤＣＨを介して送信するが、ＮＡＣＫ情報が送信される場合には、ＵＥは、同一のパケットデータをＥ−ＤＣＨを介して再送信する。
【００１５】
上述したような従来の過程において、Ｎｏｄｅ Ｂは、セル内で使用されているＲｏＴの総和を測定して予測し、セル内で許容可能な最大のＲｏＴ範囲内で使用されていない、余分のＲｏＴをＥ−ＤＣＨ用に割り当てる。ここで、上記ＲｏＴは、Ｎｏｄｅ Ｂが使用する上りリンクリソースを意味する。
【００１６】
システムの性能を向上させるためには、Ｅ−ＤＣＨ用に割り当てることができるリソース、すなわち、上記余分のＲｏＴを最適化しなければならない。このような最適化のために、現在使用されているＲｏＴの総和を合理的に測定して予測する方法が必要とされる。従来の方法によると、現在使用されている上記ＲｏＴの総和を過度に測定して予測し、これによって、Ｅ−ＤＣＨのために割当て可能なリソースが過度に減少されて、全体システムの性能が低下する、という問題点がある。さらに、従来では、同時に存在することができる上りリンクチャンネルであるＥ−ＤＣＨとＤＣＨとの間に効率的なリソース割当て方法が提示されている。従って、既存のＤＣＨのサービス品質を満足させることができない、という問題点があった。
【発明の開示】
【発明が解決しようとする課題】
【００１７】
上記背景に鑑みて、本発明の目的は、向上した上りリンク専用送信チャンネルを使用する移動通信システムにおける基地局スケジューラーが無線通信リソースを効率的に割り当てることができる方法及び装置を提供することにある。
【００１８】
本発明の他の目的は、向上した上りリンク専用送信チャンネル及び典型的な専用送信チャンネルをすべて使用するＵＥが、向上した上りリンク専用送信チャンネルの送信率及び従来の専用送信チャンネルの送信率を効率的に選択することができる方法及び装置を提供することにある。
【００１９】
本発明のさらなる目的は、向上した上りリンク専用送信チャンネル及び従来の専用送信チャンネルをすべて使用するＵＥの送信率を決定するにあたって、専用送信チャンネルに制限されることなく決定されることができる方法及び装置を提供することにある。
【００２０】
本発明のもう１つの目的は、ＤＣＨが存在するかどうかに関係なしに、Ｅ−ＤＣＨ再送信の時点でのＵＥの総送信電力を初期送信の時点でのＵＥの総送信電力と同一に維持することによって、ＵＥが上りリンクで発生する干渉量の変化を最小化できる方法及び装置を提供することにある。
【課題を解決するための手段】
【００２１】
上記のような目的を達成するために、本発明の第１の見地によると、上りリンクパケットデータサービスを支援する移動通信システムにおいて、第１のチャンネル及び第２のチャンネルを介して上りリンクデータの送信をスケジューリングする方法は、上記第１のチャンネルに対する平均送信率を決定するステップと、上記全体無線リソースと上記決定された第１のチャンネルの平均送信率に該当する無線リソースとの差を考慮して、上記第２のチャンネルの最大送信率を決定するステップと、上記決定された最大送信率を示すスケジューリング割当て情報を端末（ＵＥ）へ送信するステップとを具備し、上記第２のチャンネルは、スケジューリングされず、上記第１のチャンネルは、スケジューリングされることを特徴とする。
【００２２】
本発明の第２の見地によると、上りリンクパケットデータサービスを支援する移動通信システムにおいて、第１のチャンネル及び第２のチャンネルを介して上りリンクデータの送信をスケジューリングする装置は、上記第１のチャンネルに使用されるものと予測される平均送信率を決定し、上記全体無線リソースと上記決定された第１のチャンネルの平均送信率に該当する無線リソースとの差を考慮して、上記第２のチャンネルの最大送信率を決定し、上記決定された最大送信率を示すスケジューリング信号を生成するスケジューリング信号生成器と、上記生成されたスケジューリング信号をＵＥへ送信するスケジューリング信号送信器と、上記スケジューリング信号が予め定められたスケジューリング周期で送信されることができるように、上記スケジューリング信号生成器及び上記スケジューリング信号送信器を制御するスケジューリング信号送信器とを含んで構成され、上記第２のチャンネルは、スケジューリングされず、上記第１のチャンネルは、スケジューリングされることを特徴とする。
【００２３】
本発明の第３の見地によると、上りリンクパケットデータサービスを支援する移動通信システムにおいて、上りリンクデータを送信する方法は、第１のチャンネル及び第２のチャンネルに対する最大送信率を示すスケジューリング割当て情報を受信するステップと、上記最大送信率に基づいて上記第１のチャンネルに対する送信率を決定するステップと、上記最大送信率と上記第１のチャンネルの送信率との差に基づいて、上記第２のチャンネルに対する送信率を決定するステップと、上記決定された送信率を使用して、上記第１のチャンネル及び上記第２のチャンネルの上りリンクデータを送信するステップとを具備し、上記第２のチャンネルは、スケジューリングされず、上記第１のチャンネルは、スケジューリングされることを特徴とする。
【００２４】
本発明の第４の見地によると、上りリンクパケットデータサービスを支援する移動通信システムにおいて、上りリンクデータを送信する装置は、第１のチャンネル及び第２のチャンネルに対する最大送信率を示すスケジューリング割当て情報を受信するスケジューリング割当て情報受信器と、上記最大送信率に基づいて上記第１のチャンネルに対する送信率を決定し、上記最大送信率と上記第１のチャンネルに使用可能な送信率との差に基づいて、上記第２のチャンネルの送信率を決定する制御器と、上記決定された送信率を使用して、上記第１のチャンネル及び上記第２のチャンネルの上りリンクデータを送信する送信器とを具備し、上記第２のチャンネルは、スケジューリングされず、上記第１のチャンネルは、スケジューリングされることを特徴とする。
【発明の効果】
【００２５】
本発明の実施形態によると、Ｅ−ＤＣＨを使用する場合において、基地局スケジューラーは、無線通信リソースを効率的に割り当てることができ、ＵＥは、Ｅ−ＤＣＨの送信率及びＤＣＨの送信率を効率的に選択することができる。また、ＤＣＨが存在するかどうかに関係なしに、再送信の時点でのＵＥの総送信電力を初期送信の時点でのＵＥの総送信電力と同一に維持することによって、ＵＥが上りリンクで発生する干渉量の変化を最小化させることができる。
【００２６】
さらに、Ｅ−ＤＣＨ及びＤＣＨのすべてを使用する場合において、瞬時的な電力不足の現象が発生すると、ＤＣＨの電力を保持しつつも、Ｅ−ＤＣＨの電力を再調整することができる、という長所がある。
【発明を実施するための最良の形態】
【００２７】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。そして、後述する用語は、本発明での機能を考慮して定義された用語であり、これは、使用者及び運用者の意図又は慣例に従って変わっても良い。従って、その用語は、本発明の全体の内容に基づいて定義されなければならない。
【００２８】
下記に説明する本発明の要旨は、移動通信システムの上りリンクパケットデータサービスの改善にある。説明の便宜のために、上りリンク専用チャンネル（uplink Dedicated Channel；ＤＣＨ）及び向上した上りリンク専用チャンネル（Enhanced Uplink Dedicated Channel;Ｅ−ＤＣＨ）を考慮する。本明細書で説明する送信電力及び送信率（data rate）は、一般に、一対一の関係を有するので、下記の説明では、混用して使用する。
【００２９】
まず、上述したように、基地局の非効率的なリソース使用を防止するために、セル内で使用されているリソースの総和を合理的に測定して予測する方法が必要とされる。すなわち、基地局は、セル内で許容可能な最大ＲｏＴとセル内で使用されているＲｏＴの総和との差だけをセル内でＥ−ＤＣＨを使用するＵＥのためのＥ−ＤＣＨ用ＲｏＴとして活用することができる。ここで、セル内で許容可能な最大ＲｏＴに関する情報は、基地局制御器（Radio Network Controller；ＲＮＣ）から基地局にシグナリングされる。
【００３０】
セル内で使用されているＲｏＴの総和は、ＤＣＨ及び他のチャンネルによるＲｏＴを含む。ＤＣＨの場合において、ＵＥは、基地局からシグナリングされた送信フォーマット組合せセット（Transport format combination set；ＴＦＣＳ）からＤＣＨの送信率（又は送信電力）に該当する送信フォーマット組合せ（ＴＦＣ）を選択する。従って、基地局は、特定の時点で各ＵＥの正確な送信率（又は送信電力）をあらかじめ認識することができない。従って、ＤＣＨによるＲｏＴの正確な推定を遂行することが難しい。ただ、基地局は、各ＵＥに対して許容された最大送信率（又は送信電力）からそれに相応するＲｏＴを認知することができるだけである。
【００３１】
一方、基地局が上記各ＵＥに許容された最大送信率（又は送信電力）を考慮して、前記セル内で使用されているＲｏＴを計算すると、Ｅ−ＤＣＨに割当て可能なＲｏＴリソースは、減少される。その理由は、各ＵＥが送信するＤＣＨが基地局からシグナリングされた送信フォーマット組合セット（ＴＦＣＳ）内で、最大送信率（又は送信電力）で常に送信されないためである。従って、本発明の実施形態は、各ＵＥのＤＣＨ送信率（又は送信電力）に対する統計的な特性を用いて、セル内で使用されているＤＣＨ ＲｏＴを合理的に推定するためである。
【００３２】
基地局制御器（ＲＮＣ）は、一定の時間区間間のセル内の各ＵＥ別送信率（又は送信電力）を観察するか、あるいは、事前の実験を通して各ＵＥ別の送信率（又は送信電力）に対する統計的な特徴がわかる。ＲＮＣは、上記統計的な特徴を用いて、平均的な送信率を推定することができ、これに基づいて、ＤＣＨ ＲｏＴを合理的に予測することができる。上りリンクＲｏＴリソースを効率的に活用するための各ＵＥ別スケジューリング最適化係数αｉ（０≦αｉ≦１，ここで、αｉは、ｉ番目のＵＥに該当するスケジューリング最適化係数を示す。）は、各ＵＥ別に許容された最大送信率に対する平均的な送信率の割合で定義される。基地局制御器は、上記スケジューリング最適化係数αｉに基づいて、ＤＣＨ ＲｏＴを合理的に予測することができる。ＲＮＣは、計算されたスケジューリング最適化係数又はこれに該当する推定された平均送信率を基地局へシグナリングして、基地局は、上記ＤＣＨ ＲｏＴを予測するのに使用することができる。上記ＤＣＨ ＲｏＴの予測の主体として、各ＵＥのリソースを管理するＲＮＣを例に上げて説明したが、システムの設計者の選択に従って、基地局（Ｎｏｄｅ Ｂ）は、上記ＤＣＨ ＲｏＴを予測することができる。
【００３３】
以下、本発明の実施形態によるスケジューリング最適化係数を推定する方法について説明する。
【００３４】
上記スケジューリング最適化係数は、各ＵＥのＤＣＨ最大送信率（又は送信電力）に対するＤＣＨ平均送信率（又は送信電力）の割合であって、＜数式１＞のように表現されることができる。
【００３５】
【数１】
2008501285.tif 000003
【００３６】
上記＜数式１＞において、ｉは、各ＵＥを示すインデックスであり、ｊは、各送信フォーマット組合（ＴＦＣ）のインデックスである。
【００３７】
【数２】
2008501285.tif 000004
【００３８】
は、ｉ番目のＵＥのＤＣＨ平均送信率（又は送信電力）を示し、Ｐｒ（ＤＣＨｉ，j）は、ｊ番目のＴＦＣを有するｉ番目のＵＥのＤＣＨ発生確率を示し、ＲＤＣＨｉ，ｊは、ｊ番目のＴＦＣを有するｉ番目のＵＥのＤＣＨ送信率（又は送信電力）を示し、
【００３９】
【数３】
2008501285.tif 000005
【００４０】
は、ｊ番目のＴＦＣを有するｉ番目のＵＥの許容されたＤＣＨ最大送信率（又は送信電力）を示す。
【００４１】
図３は、本発明の望ましい実施形態による基地局が各ＵＥに対するスケジューリング命令を生成する動作を示すフローチャートである。
【００４２】
ステップＳ３０１で、基地局は、各ＵＥに対して予測されるＤＣＨ平均送信率（又は送信電力）に該当するＲｏＴを計算する。上記ＲｏＴは、各ＵＥ別スケジューリング最適化係数を各ＵＥに対するＤＣＨ最大送信率（又は送信電力）と乗算することによって得られた積に該当する。上述したように、上記スケジューリング最適化係数を使用することによって、セル内で使用中であるＲｏＴを過度に高く計算することによって発生することがあるＲｏＴの浪費を防止することができる。他の上りリンク共通チャンネルによるＲｏＴも同様に計算することができる。
【００４３】
ステップＳ３０２で、基地局は、セル内に許容された最大ＲｏＴとステップＳ３０１で計算されたＲｏＴの総和との差をセル内のＥ−ＤＣＨに割当て可能な最大ＲｏＴとして使用する。このとき、ステップＳ３０１で計算されたＲｏＴの総和は、ＤＣＨ及びＥ−ＤＣＨに対するＲｏＴの総和を示し、共通チャンネルに対するＲｏＴの総和を含むことができる。通常、共通チャンネル及びデータチャンネルに関連した制御チャンネルに割り当てられるＲｏＴは、予め固定されるか、あるいは、該当データチャンネルに割り当てられたＲｏＴに基づいて決定される。従って、本明細書では、上りリンクデータチャンネルに割り当てられる無線リソースのみを考慮するであろう。また、セル内に許容された最大ＲｏＴは、ＲＮＣから基地局にシグナリングされる値である。
【００４４】
ステップＳ３０３で、基地局は、各ＵＥから受信されたＥ−ＤＣＨスケジューリング情報に基づいて、各ＵＥに対するＥ−ＤＣＨ最大送信率（又は送信電力）を考慮して、上記セル内でＥ−ＤＣＨに割当て可能なＲｏＴの総和を超過しない各ＵＥ別Ｅ−ＤＣＨ最大送信率（又は送信電力）を求める。
【００４５】
ステップＳ３０４で、基地局は、ステップＳ３０３で計算された‘各ＵＥ別Ｅ−ＤＣＨ最大送信率’を示す各ＵＥ別スケジューリング割当て情報を生成する。このとき、上記スケジューリング割当て情報は、ＤＣＨ及びＥ−ＤＣＨに対する最大送信率を示す。例えば、上記スケジューリング割当て情報は、次のようなタイプの情報のうちのいずれか１つで表現される。
【００４６】
情報１は‘ＤＣＨ及びＥ−ＤＣＨを構成する各ＵＥの最大送信可能な全体送信率'を示す。すなわち、ＵＥは、上記全体送信率内でＤＣＨ送信率及びＥ−ＤＣＨ送信率を決定する。
【００４７】
情報２は、‘各ＵＥ別Ｅ−ＤＣＨ最大送信率'（図３のステップＳ３０３）及び‘各ＵＥ別スケジューリング最適化係数'を示す。上記各ＵＥは、‘Ｅ−ＤＣＨ最大送信率の和及び上記スケジューリング最適化係数をＤＣＨ最大送信率と乗算した積を計算することによって、上記情報１と同一の情報を獲得する。ここで、上記ＤＣＨ最大送信率は、ＲＮＣからＵＥにシグナリングされる値である。
【００４８】
情報３は、‘各ＵＥが送信するものと予測されるＤＣＨ平均送信率'（図３のステップＳ３０１）及び‘各ＵＥ別Ｅ−ＤＣＨ最大送信率'（ステップＳ３０３で計算された値である）を示す。各ＵＥは、上記２つの値から情報１と同一の情報を得ることができる。
【００４９】
情報４は、‘各ＵＥのＤＣＨ最大送信率とＥ−ＤＣＨ最大送信率との和’を示す。上記Ｅ−ＤＣＨ最大送信率は、各ＵＥが送信するものと予測されるＤＣＨ平均送信率を考慮して計算された値ではなく、各ＵＥのＤＣＨ最大送信率を考慮して計算された値である。
【００５０】
情報５は、‘Ｅ−ＤＣＨ最大送信率’を示す。上記Ｅ−ＤＣＨ最大送信率は、各ＵＥが送信するものと予測されるＤＣＨ平均送信率を考慮して計算された値ではなく、各ＵＥのＤＣＨ最大送信率を考慮して計算された値である。ＵＥは、基地局からシグナリングされたＴＦＣＳ及び上記情報５を使用して、上記情報４を生成する。
【００５１】
各ＵＥは、‘ＤＣＨ及びＥ−ＤＣＨを含む各ＵＥの最大送信可能な送信率’を分かる。一方、送信チャンネル別に最大送信可能な送信率を割り当てると、他のチャンネルは、各送信チャンネルが使用した後の残りの送信率を使用することができず、これによって、効率的なリソースの活用を達成することができない。しかしながら、各ＵＥが上記‘ＤＣＨ及びＥ−ＤＣＨを含む各ＵＥの最大送信可能な送信率’を知っていると、ＵＥは、最大送信可能な送信率内で、上記ＤＣＨ及びＥ−ＤＣＨ送信率を柔軟に決定することができ、これによって、効率的なリソースの活用を達成することができる。また、上記情報４又は情報５から、ＵＥは、最大送信可能な送信率内で、ＤＣＨ及びＥ−ＤＣＨの送信率を柔軟に決定することができ、これによって、効率的なリソースの活用を達成することができる。
【００５２】
図４は、本発明の望ましい実施形態によるＵＥがデータ送信率を決定する動作を示すフローチャートである。
【００５３】
ステップＳ４００で、ＵＥは、基地局から受信されたスケジューリング割当て情報に基づいて送信可能な送信電力の総和を計算する。上記送信電力の総和は、ＵＥのバッファ内のＤＣＨデータの量、現在使用可能な送信電力、現在使用可能なＴＦＣＳ、及びＵＥの容量（capability）を構成する。
【００５４】
ステップＳ４０１で、ＵＥは、ＤＣＨの送信率を決定する。一般に、上記ＤＣＨは、音声データのように、優先順位が高い特性を有している。従って、ＤＣＨの送信率は、Ｅ−ＤＣＨが存在するか否かに関係なしに決定される。すなわち、ＵＥは、基地局からシグナリングされたＴＦＣＳ内で、ＵＥが送信可能な送信電力の総和を考慮して、ＤＣＨの送信率（又は送信電力）を選択する。
【００５５】
ステップＳ４０２で、ＵＥは、上記送信電力（割り当てられたＤＣＨ及びＥ−ＤＣＨを構成するＵＥの最大送信可能な送信率）の総和をＵＥの送信電力制限値と比較する。ＵＥの‘送信電力制限値'は、電力増幅器が許容可能な送信電力の上限値であり、上記送信電力制限値を超過する電力で送信を物理的に達成することができない。上記比較の結果、上記送信電力の総和がＵＥの送信電力制限値より小さいと、ＵＥは、ステップＳ４０３へ進行する。
【００５６】
ステップＳ４０３で、ＵＥは、上記送信電力の総和をステップＳ４０１で決定されたＤＣＨ送信率に該当する送信電力と比較する。上記送信電力の総和がステップ４０１で決定されたＤＣＨ送信率に該当する送信電力より大きいと、ステップＳ４０４で、ＵＥは、上記送信電力の総和と上記ＤＣＨ送信率に該当する送信電力との差をＥ−ＤＣＨ最大送信率として決定し、ステップＳ４０９へ進行する。ステップＳ４０９で、ＵＥは、上記Ｅ−ＤＣＨ最大送信率内で、上記Ｅ−ＤＣＨ送信率を決定する。
【００５７】
ステップＳ４０３で、比較の結果、上記送信電力の総和がステップＳ４０１で決定されたＤＣＨ送信率に該当する送信電力より小さいか、又は同一であると、ＵＥは、ステップＳ４０５へ進行する。ステップＳ４０５で、ＵＥは、使用可能な送信電力が残っていないので、Ｅ−ＤＣＨ最大送信率を０として決定する。すると、ステップＳ４０９で、ＵＥは、Ｅ−ＤＣＨを介してデータを送信しなくなる。
【００５８】
一方、ステップＳ４０２で、比較の結果、上記送信電力（割り当てられたＤＣＨ及びＥ−ＤＣＨを構成するＵＥの最大送信可能な送信率）の総和がＵＥの送信電力制限値より大きいか、又は同一の場合に、ＵＥは、ステップＳ４０６へ進行する。
【００５９】
ステップＳ４０６で、ＵＥは、ＵＥの送信電力制限値をステップＳ４０１で決定された上記ＤＣＨ送信率に該当する送信電力と比較する。ＵＥの送信電力制限値がステップＳ４０１で決定された上記ＤＣＨ送信率に該当する送信電力より大きいと、ＵＥは、ステップＳ４０７へ進行する。ＵＥの送信電力制限値がステップＳ４０１で決定された上記ＤＣＨ送信率に該当する送信電力より小さいか、又は同一である場合に、ＵＥは、ステップＳ４０８へ進行する。
【００６０】
ステップＳ４０７で、ＵＥは、上記送信電力制限値とＵＥが決定したＤＣＨ送信率に該当する送信電力との差をＥ−ＤＣＨ最大送信率として決定する。すると、ステップＳ４０９で、ＵＥは、上記Ｅ−ＤＣＨ最大送信率内でＥ−ＤＣＨ送信率を決定する。
【００６１】
ＵＥが上記ＤＣＨ送信率を上記送信電力制限値を超過する値として決定することが不可能であるので、上記ＤＣＨの送信電力を調整する必要がある。従って、ステップＳ４０８で、ＵＥは、上記ＤＣＨ送信率を上記‘送信電力制限値'として設定する。すると、ＵＥは、ステップＳ４０５へ進行する。ステップＳ４０５で、これ以上の使用が可能な送信電力がないので、ＵＥは、Ｅ−ＤＣＨ最大送信率を‘０'として決定する。すると、ステップＳ４０９で、ＵＥは、Ｅ−ＤＣＨを介してデータを送信しない。
【００６２】
一方、上記のような手順を通して、上記ＤＣＨ及びＥ−ＤＣＨの送信率を決定してデータを送信する状況で、ＨＡＲＱ動作によって、Ｅ−ＤＣＨを再送信する必要がある。しかしながら、再送信の時点で、ＤＣＨなしにＥ−ＤＣＨのみが存在する場合に、上記ＤＣＨが占有した電力だけをＥ−ＤＣＨに付加して送信することによって、ＵＥによって発生された総送信電力レベルを一定に保持させ、基地局スケジューラーを安定して動作させることができる。すなわち、再送信の際に、Ｅ−ＤＣＨのために設定された送信電力Ｔｘ＿ｐｏｗｅｒ＿Ｅ−ＤＣＨは、初期送信の際に、Ｅ−ＤＣＨのために使用された送信電力Ｔｘ＿ｐｏｗｅｒ＿Ｅ−ＤＣＨ＿ｉｎｉｔと、初期送信の際に、ＤＣＨのために使用された送信電力Ｔｘ＿ｐｏｗｅｒ＿ＤＣＨ＿ｉｎｉｔとの和として表現されることができ、＜数式４＞の通りである。
【００６３】
【数４】
2008501285.tif 000006
【００６４】
また、初期送信の際に、Ｅ−ＤＣＨのみが送信される場合に、ＨＡＲＱ動作によりＥ−ＤＣＨを再送信する時点で上記ＤＣＨが発生すると、上記発生されたＤＣＨの送信電力は、ＤＣＨ送信率に該当する値を有するように設定され、上記初期送信の際に、上記Ｅ−ＤＣＨに割り当てられた送信電力から上記ＤＣＨ送信電力を減算した値を再送信時のＥ−ＤＣＨ送信電力として設定する。従って、再送信の時のＵＥの総送信電力レベルは、初期送信の際のＵＥの総送信電力レベルと同一に保持されることができ、基地局スケジューラーは、安定して動作することができる。すなわち、再送信の際に、上記Ｅ−ＤＣＨのために設定された送信電力Ｔｘ＿ｐｏｗｅｒ＿Ｅ−ＤＣＨは、初期送信の際に、上記Ｅ−ＤＣＨのために使用された送信電力Ｔｘ＿ｐｏｗｅｒ＿Ｅ−ＤＣＨ＿ｉｎｉｔと、初期送信には存在しないが、Ｅ−ＤＣＨ再送信の時点で発生したＤＣＨに割り当てられた送信電力Ｔｘ＿ｐｏｗｅｒ＿ＤＣＨとの差として表現されることができ、＜数式５＞の通りである。
【００６５】
【数５】
2008501285.tif 000007
【００６６】
＜数式４＞及び＜数式５＞から、再送信の時点でのＥ−ＤＣＨのために設定された送信電力Ｔｘ＿ｐｏｗｅｒ＿Ｅ−ＤＣＨを一般化すると、＜数式６＞の通りである。
【００６７】
【数６】
2008501285.tif 000008
【００６８】
すなわち、再送信の際に、Ｅ−ＤＣＨのために設定された送信電力Ｔｘ＿ｐｏｗｅｒ＿Ｅ−ＤＣＨは、初期送信の時点で、ＵＥのＥ−ＤＣＨ用送信電力Ｔｘ＿ｐｏｗｅｒ＿Ｅ−ＤＣＨ＿ｉｎｉｔに余裕電力（△＿ｒｅｌｅａｓｅ）を加算した後に、上記総和から送信電力（△＿ａｄｄ）を減算した値と同一である。ここで、余裕電力（△＿ｒｅｌｅａｓｅ）は、再送信時点でＤＣＨが存在しないことによって生じた電力を意味し、送信電力（△＿ａｄｄ）は、初期送信時点では存在せず、再送信時点で発生する付加チャンネルの送信電力を意味する。
【００６９】
上記では、Ｅ−ＤＣＨの初期送信と再送信との間の関係を考慮して、Ｅ−ＤＣＨ送信電力を設定する方法について説明した。しかしながら、上記Ｅ−ＤＣＨの再送信回数が１回以上である場合には、追加的な再送信が遂行されるときごとに、上記Ｅ−ＤＣＨ送信電力を決定することができる。例えば、最大再送信回数が４回であり、Ｅ−ＤＣＨの最初及び２番目の再送信でＤＣＨが存在するが、三番目の再送信でＤＣＨが存在しない場合に、又は、Ｅ−ＤＣＨの最初の再送信でＤＣＨが存在しないが、２番目の再送信でＤＣＨが存在する場合でも、上記＜数式６＞を用いて、Ｅ−ＤＣＨの再送信のための送信電力を設定することができる。
【００７０】
上述した実施形態では、ＤＣＨ送信電力は、Ｅ−ＤＣＨの再送信のための送信電力の設定に反映される。しかしながら、他の実施形態に従って、Ｅ−ＤＣＨ送信率を考慮して、上記ＤＣＨ送信電力の範囲内で可変的に適用することもできる。例えば、上記Ｅ−ＤＣＨの再送信のための送信電力を増加させる必要がある場合、すなわち、上記Ｅ−ＤＣＨの再送信の時点でＤＣＨが存在せず、上記Ｅ−ＤＣＨの送信率が高い場合には、上記ＤＣＨのために使用された送信電力のすべてをＥ−ＤＣＨの送信電力の設定に適用する。一方、上記Ｅ−ＤＣＨの送信率が低い場合には、上記ＤＣＨのために使用される送信電力の一部をＥ−ＤＣＨ送信電力の設定に適用するか、又は以前のＤＣＨ送信電力を保持しながら、Ｅ−ＤＣＨを送信することもある。
【００７１】
ＵＥが上記ＤＣＨ及びＥ−ＤＣＨの送信率を決定した後に、ＵＥの該当瞬時電力が増加する状況が発生することがある。例えば、チャンネル状態が劣化する場合に、ＵＥの送信電力は、電力制御動作によって瞬時的に増加されることがある。従って、下記では、ＵＥが瞬時的な送信電力及び送信電力制限値を考慮して、上記ＤＣＨ及びＥ−ＤＣＨの送信電力を決定するための本発明の他の実施形態による過程について説明する。
【００７２】
図５は、本発明の望ましい実施形態によるＵＥが送信電力を決定する動作を示すフローチャートである。
【００７３】
ステップＳ５０１で、ＵＥは、‘ＤＣＨ送信率及びＥ−ＤＣＨ送信率に相応する瞬時的な送信電力の和’がＵＥの電力増幅器が許容することができる送信電力の上限値であるＵＥの‘送信電力制限値’を超過するか否かを判断する。
【００７４】
上記判断の結果、ＵＥは、‘ＤＣＨ送信率及びＥ−ＤＣＨ送信率に相応する瞬時的な送信電力の和’がＵＥの送信電力制限値を超過しないと、ＵＥは、ステップＳ５０７へ進行して、ＵＥは、上記送信電力を再調整しない。
【００７５】
上記判断の結果、上記和が上記送信電力制限値を超過すると、ＵＥは、ステップＳ５０２で、上記ＤＣＨに優先順位を与えることによって、上記ＤＣＨ用送信電力はそのまま保持し、ステップＳ５０３で、Ｅ−ＤＣＨの送信電力を再調整する。結果的に、上記ＤＣＨに関連した動作は、上記Ｅ−ＤＣＨによる影響を最小化する。具体的に、上記Ｅ−ＤＣＨ用送信電力は、上記‘ＤＣＨ送信率及びＥ−ＤＣＨ送信率に相応する瞬時的な送信電力の和'とＵＥの‘ＤＣＨ及びＥ−ＤＣＨ送信率に相応する送信電力制限値’との差だけ減少されて再調整される。すなわち、ＵＥは、‘ＤＣＨ及びＥ−ＤＣＨの全体送信電力’が上記‘送信電力制限値’を超過する送信電力だけＥ−ＤＣＨの送信電力を減少させる。
【００７６】
ステップＳ５０４で、ＵＥは、上記調整されたＥ−ＤＣＨ送信電力が正の値を有するか否かを判断する。上記調整されたＥ−ＤＣＨ送信電力が正の値を有すると、ＵＥは、ステップＳ５０５へ進行する。ステップＳ５０５で、ＵＥは、上記調整されたＥ−ＤＣＨ送信電力値に該当する送信率で上記Ｅ−ＤＣＨを送信する。
【００７７】
ステップＳ５０４で、ＵＥは、上記調整されたＥ−ＤＣＨ送信電力値が正の値を有しない場合に、ステップＳ５０６へ進行する。上記送信値が負の値を有することができないので、ＵＥは、ステップＳ５０６で、最終的にＥ−ＤＣＨを送信しない。
【００７８】
図６は、本発明の望ましい実施形態による基地局のスケジューリング割当て情報を送信するための装置の構成を示すブロック図である。
【００７９】
図６を参照すると、基地局スケジューラーは、スケジューリング信号送信制御器６０１と、スケジューリング信号生成器６０２と、スケジューリング信号送信器６０３とから構成される。
【００８０】
スケジューリング信号送信制御器６０１は、上記スケジューリング信号が予め定められたスケジューリング周期で送信されることができるように、スケジューリング信号生成器６０２及びスケジューリング信号送信器６０３を制御する。
【００８１】
スケジューリング信号生成器６０２は、各ＵＥが送信するものと予測されるＤＣＨ平均送信率に該当するＲｏＴ、セル内に許容された最大ＲｏＴ、及び各ＵＥのＥ−ＤＣＨスケジューリング情報を考慮して、スケジューリング信号を生成する。ここで、‘各ＵＥが送信するものと予測されるＤＣＨ平均送信率’に該当するＲｏＴは、ＲＮＣから基地局にシグナリングされることができる。一方、ＲＮＣから基地局にシグナリングされる各ＵＥのスケジューリング最適化係数及びＲＮＣから基地局にシグナリングされる各ＵＥに許容されたＤＣＨ最大送信率から、基地局は、‘ＵＥが送信するものと予測されるＤＣＨ平均送信率’に該当するＲｏＴを計算することができる。セル内に許容された最大ＲｏＴは、ＲＮＣから基地局にシグナリングされる値である。また、上記基地局は、上記平均的なＤＣＨ送信率に該当するＲｏＴ及び各ＵＥのスケジューリング最適化係数を計算することができる。各ＵＥに対するスケジューリング命令を生成する動作は、スケジューリング信号生成器６０２によって遂行される。スケジューリング信号送信器６０３は、上記生成されたスケジューリング信号を符号化して変調した後に、上記符号化され変調された信号を上記スケジューリングチャンネルを介して送信する。
【００８２】
図７は、本発明の望ましい実施形態によるＵＥのデータ送信率を決定して送信電力を制御する装置の構成を示すブロック図である。
【００８３】
図７を参照すると、ＵＥは、基地局からスケジューリング割当て情報を受信し、上記受信されたスケジューリング割当て情報をスケジューリング割当て情報復調／復号器７０２で復調／復号し、これによって、上記スケジューリング割当て情報を獲得する。ここで、上記スケジューリング割当て情報は、上述したような情報１、情報２、情報３、情報４、及び情報５のうちの少なくとも１つを構成する。
【００８４】
ＵＥは、上記スケジューリング割当て情報から上記ＤＣＨ及びＥ−ＤＣＨを構成するＵＥの最大送信可能な送信率（又は送信電力）を決定する。一方、上記ＤＣＨの送信率は、上記Ｅ−ＤＣＨが存在するか否かに関係なしに決定されるので、ＤＣＨ送信率決定器７０６は、上記ＤＣＨ及びＥ−ＤＣＨを構成するＵＥの最大送信可能な送信率（又は送信電力）、ＵＥのバッファ内のＤＣＨデータの量、現在使用可能なＴＦＣＳ、及びＵＥの容量（capability）を考慮して、上記ＤＣＨ送信率を決定する。このとき、ＤＣＨ送信率決定器７０６は、ＵＥのバッファ内のＤＣＨデータの量に関する情報をＤＣＨデータバッファ７０５から受信して、上記ＤＣＨ送信率を決定するのに使用する。
【００８５】
上記ＤＣＨ送信率が決定されると、ＤＣＨ送信制御器７０７は、ＤＣＨ送信フォーマットを決定してＤＣＨデータ送信器７０８へ印加する。また、上記ＤＣＨ送信フォーマットに関する情報は、ＤＣＨのための制御情報を運搬するためのＤＰＣＣＨ（Dedicated physical control channel）を介してＵＥへ送信される。ＤＣＨデータ送信器７０８は、上記ＤＣＨ送信フォーマットに従って、ＤＣＨデータバッファ７０５から指定された量のデータを取って、上記データに対するチャンネルコーディング及び変調を遂行した後に、物理チャンネルである専用物理データチャンネル（Dedicated physical data channel；ＤＰＤＣＨ）を介して送信する。
【００８６】
上記Ｅ−ＤＣＨの送信率は、上記ＤＣＨ及びＥ−ＤＣＨを構成するＵＥの最大送信可能な送信率（又は送信電力）、ＤＣＨ送信率決定器７０６で決定されたＤＣＨ送信率（又は送信電力）、及びＥ−ＤＣＨデータバッファ７０１内のデータの量に基づいて決定される。具体的に、上記Ｅ−ＤＣＨ送信率の決定は、図４を参照して説明された手順に従う。
【００８７】
上記Ｅ−ＤＣＨ送信率が決定されると、Ｅ−ＤＣＨ送信制御器７０４は、Ｅ−ＤＣＨ送信フォーマットを決定して、Ｅ−ＤＣＨデータ送信器７０９に印加する。また、上記Ｅ−ＤＣＨ送信フォーマットに関する情報は、Ｅ−ＤＣＨのための制御情報を運搬する向上した専用物理制御チャンネル（Enhanced dedicated physical control channel；Ｅ−ＤＰＣＣＨ）を介して送信される。Ｅ−ＤＣＨデータ送信器７０９は、上記Ｅ−ＤＣＨ送信フォーマットに従って、Ｅ−ＤＣＨデータバッファ７０１から指定された量のデータを取って、上記データに対するチャンネルコーディング及び変調を遂行した後に、上記Ｅ−ＤＣＨのための物理データチャンネルである向上した専用物理データチャンネル（Enhanced dedicated physical data channel；Ｅ−ＤＰＤＣＨ）を介して送信する。
【００８８】
一方、ＵＥの瞬時的な送信電力が増加して、ＵＥの電力増幅器が許容することができるＵＥの送信電力上限値であるＵＥの‘送信電力制限値’を超過する場合が発生することがある。この場合、送信電力制御器７１０は、各チャンネルの送信電力を調整し、これを各チャンネルに乗じられる利得係数（gain factor）に反映することによって、ＵＥの瞬時的な送信電力を送信電力制限値'以内で保持するようにする。すると、ＤＣＨ用送信電力を変更なしに保持しながら、ＵＥが‘送信電力制限値’を超過する電力量だけＥ−ＤＣＨ用送信電力を減少させる。Ｅ−ＤＣＨ用送信電力を減少させたにもかかわらず、ＵＥの瞬時的な送信電力が上記‘送信電力制限値’を超過すると、Ｅ−ＤＣＨを除外した他のチャンネルの送信電力を同一の方式にてスケーリングする。
【００８９】
上述したように、本発明の詳細な説明では、情報１のみを考慮して説明された。しかしながら、情報２乃至情報５を使用しても、本発明の目的を達成するにあたって、同一又はそれに相応する効果を得ることができる。
【００９０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００９１】
【図１】従来の無線通信システムにおけるＥ−ＤＣＨを介した上りリンクパケット送信を説明する図である。
【図２】従来のＥ−ＤＣＨを介した信号送受信過程を示すメッセージフロー図である。
【図３】本発明の望ましい実施形態による基地局が各ＵＥに対するスケジューリング命令を生成する動作を示すフロー図である。
【図４】本発明の望ましい実施形態によるＵＥがデータ送信率を決定する動作を示すフローチャートである。
【図５】本発明の望ましい実施形態によるＵＥが送信電力を決定する動作を示すフローチャートである。
【図６】本発明の望ましい実施形態による基地局のスケジューリング割当て情報を送信する装置の構成を示すブロック図である。
【図７】本発明の望ましい実施形態によるＵＥのデータ送信率を決定して送信電力を制御する装置の構成を示すブロック図である。
【符号の説明】
【００９２】
６０１  スケジューリング信号送信制御器
６０２  スケジューリング信号生成器
６０３  スケジューリング信号送信器
７０１  Ｅ−ＤＣＨデータバッファ
７０２  スケジューリング割当て情報復調／復号器
７０３  Ｅ−ＤＣＨ送信率決定器
７０４  Ｅ−ＤＣＨ送信制御器
７０５  ＤＣＨデータバッファ
７０６  ＤＣＨ送信率決定器
７０７  ＤＣＨ送信制御器
７０８  ＤＣＨデータ送信器
７０９  Ｅ−ＤＣＨデータ送信器
７１０  送信電力制御器
【図１】
2008501285.tif 000009
【図２】
2008501285.tif 000010
【図３】
2008501285.tif 000011
【図４】
2008501285.tif 000012
【図５】
2008501285.tif 000013
【図６】
2008501285.tif 000014
【図７】
2008501285.tif 000015
【国際調査報告】
2008501285.tif 000016
2008501285.tif 000017